(57)【要約】【課題】手動点火式のバランス型風呂釜に電池式の点火装置を容易に後付けする。【解決手段】圧電素子および当該圧電素子から伸びるシャフトの先端に取り付けられている回転ハンドルを取り外し、イグナイタトランス部１２０を取付板１３０に取り付け、回転ハンドルを通すために予めバランス型風呂釜本体の前板１３に開設されている挿通穴１４に電池ボックス１１０の背面を前板１３の表側から臨ませ、かつ挿通穴１４に取付板１３０を前板１３の裏側から臨ませ、挿通穴１４に通した螺子１４１で、電池ボックス１１０と取付板１３０とで前板１３を挟持するように取り付ける。【選択図】図１
2004198031.tif 000002
【特許請求の範囲】
【請求項１】
手動点火式のバランス型風呂釜に後から電池式点火装置を取り付ける後付け点火装置取付方法であって、
圧電素子および当該圧電素子から伸びるシャフトの先端に取り付けられている回転ハンドルを取り外し、
イグナイタトランス部を前記バランス型風呂釜本体の内部に取り付け、
前記シャフトを通すために予め前記バランス型風呂釜本体の前板に開設されていた挿通穴を、前記前板の表側に電池ボックスを取り付けるための螺子を通すために、およびまたは前記電池ボックスと前記本体内部のイグナイタトランス部との間の電気配線を通すために用いる
ことを特徴とする後付け点火装置取付方法。
【請求項２】
手動点火式のバランス型風呂釜に後から電池式点火装置を取り付ける後付け点火装置取付方法であって、
圧電素子および当該圧電素子から伸びるシャフトの先端に取り付けられている回転ハンドルを取り外し、
イグナイタトランス部を取付板に取り付け、
前記回転ハンドルを通すために予め前記バランス型風呂釜本体の前板に開設されている挿通穴に電池ボックスの背面を前記前板の表側から臨ませ、かつ前記挿通穴に前記取付板を前記前板の裏側から臨ませ、前記挿通穴に通した螺子で、前記電池ボックスと前記取付板とで前記前板を挟持するように取り付ける
ことを特徴とする後付け点火装置取付方法。
【請求項３】
前記電池ボックスの背面から固定ピンを突出させ、
前記螺子と固定ピンの両者が前記挿通穴を貫通し得るように前記固定ピンの突出位置と両者の径を設定し、
前記取付板に、取付完了状態で前記固定ピンと係合する箇所に係合穴を設け、かつ前記取付板を、取付完了状態で少なくとも当該取付板の周縁の一辺が前記前板の内縁と接する形状にし、
取付完了状態において、前記取付板の周縁と前記前板の内縁との接触で前記取付板の回動を防止し、前記固定ピンが前記係合穴に係合することで前記取付板に対して電池ボックスが回動することを防止し、もって前記電池ボックスの回動を防止した
ことを特徴とする請求項２に記載の後付け点火装置取付方法。
【請求項４】
前記挿通穴に前記電池ボックスとイグナイタトランス部との間の電気配線をさらに通す
ことを特徴とする請求項２または３に記載の後付け点火装置取付方法。
【請求項５】
正極側の電気配線を前記挿通穴に通し、負極側は、前記電池ボックスの背面に設けた電極と前記前板と前記取付板とを介して電気的に接続する
ことを特徴とする請求項４に記載の後付け点火装置取付方法。
【請求項６】
イグナイタトランス部の上方に被さるように防露板が突出した取付板を使用する
ことを特徴とする後付け点火装置取付方法。
【請求項７】
手動点火式のバランス型風呂釜に後から電池式点火装置を取り付ける後付け点火装置取付方法であって、
圧電素子および当該圧電素子から伸びるシャフトの先端に取り付けられている回転ハンドルを取り外し、
イグナイタトランス部を前記バランス型風呂釜本体の内部に取り付け、
前記シャフトを通すために予め前記バランス型風呂釜本体の前板に開設されていた挿通穴に前記電池ボックスと前記本体内部のイグナイタトランス部との間の電気配線を通し、
前板取付用の螺子を兼用して電池ボックスを前板の表側に取り付ける
ことを特徴とする後付け点火装置取付方法。
【請求項８】
通電スイッチを前記電池ボックスに設けた
ことを特徴とする請求項１、２、３、４、５、６または７に記載の後付け点火装置取付方法。
【請求項９】
通電スイッチを、ガスコックを点火位置に回したときにオンになるように前記バランス型風呂釜本体の内部に取り付ける
ことを特徴とする請求項１、２、３、４、５、６、７または８に記載の後付け点火装置取付方法。
【請求項１０】
請求項１または６に記載の後付け点火装置取付方法を実施可能に構成された、電池ボックスとイグナイタトランス部もしくはこれらと取付板とを有する
ことを特徴とする後付け点火装置。
【発明の詳細な説明】
【０００１】
【発明の属する技術分野】
本発明は、手動点火式のバランス型風呂釜に後から電池式点火装置を取り付ける後付け点火装置取付方法および後付け点火装置に関する。
【０００２】
【従来の技術】
従来、図１０に示すような手動点火式のバランス型風呂釜１０があった。この風呂釜では、ガスコック１５を押し下げて点火位置に回した状態で、回転ハンドル１１を手動で回すと、口火の点火が行われる。図１１に示すように、バランス型風呂釜本体の内側には圧電素子ユニット２０が固定され、この圧電素子ユニット２０から伸びるシャフト２１が風呂釜本体の前板１３に開設された挿通穴１４を介して前板１３の表側に突出する。シャフト２１の先端には回転ハンドル１１が取り付けられる。回転ハンドル１１を回すと、シャフト２１が回転し、これに伴って打撃機構が圧電素子を間欠的に叩き、その度に、圧電素子で高電圧が発生する。この高電圧がイグナイタコード２２を通じて点火プラグに印加されて火花が発生し、口火が点火するようになっている（たとえば、特許文献１参照。）。
【０００３】
また圧電素子の代りに、電池とイグナイタトランスを用いて高電圧を生成して口火を点火する自動点火式の点火装置を採用したバランス型風呂釜も普及している。
【０００４】
【特許文献１】
特開２０００−１９３２３３号公報
【０００５】
【発明が解決しようとする課題】
上述した手動点火式のバランス型風呂釜では、ガスコックを点火位置に回した状態で、何回も重い回転ハンドルを回さなければならず、特に、高齢者や身体の不自由な人にとっては使い勝手が良くなかった。点火音がうるさいと近隣からの苦情が生じることもあった。
【０００６】
このような手動式のバランス型風呂釜を使っている人が自動点火式を望む場合には、点火の使い勝手以外に特に不具合が無く、買い替え時期がまだ先であっても、器具自体を取り替えなければならなかった。このため、使い勝手を我慢して使い続けるか、高額の出費を余儀なくされていた。さらに電池式は、能力が１３号のものしかなく、これと現在の器具の号数が異なる場合には、買い替えたいと思ってもガス供給量の問題があり、我慢するしかなかった。
【０００７】
本発明は、このような問題点に着目してなされたもので、バランス型風呂釜に電池式の点火装置を簡易に後付け可能にすること、およびこれに際して風呂釜に新たな穴をあけないこと、電池交換が容易に行えること、後付けした電気部品が防滴されること、配線が見えないこと、既存のイグナイタコードを再利用することが可能な後付け点火装置およびその取付方法を提供することを目的としている。
【０００８】
【課題を解決するための手段】
かかる目的を達成するための本発明の要旨とするところは、次の各項の発明に存する。
［１］手動点火式のバランス型風呂釜（１０）に後から電池式点火装置を取り付ける後付け点火装置取付方法であって、
圧電素子（２０）および当該圧電素子（２０）から伸びるシャフトの先端に取り付けられている回転ハンドル（１１）を取り外し、
イグナイタトランス部（１２０）を前記バランス型風呂釜本体（１２）の内部に取り付け、
前記シャフトを通すために予め前記バランス型風呂釜本体（１２）の前板（１３）に開設されていた挿通穴（１４）を、前記前板（１３）の表側に電池ボックス（１１０）を取り付けるための螺子（１４１）を通すために、およびまたは前記電池ボックス（１１０）と前記本体（１２）内部のイグナイタトランス部（１２０）との間の電気配線（１１７）を通すために用いる
ことを特徴とする後付け点火装置取付方法。
【０００９】
［２］手動点火式のバランス型風呂釜（１０）に後から電池式点火装置を取り付ける後付け点火装置取付方法であって、
圧電素子（２０）および当該圧電素子（２０）から伸びるシャフトの先端に取り付けられている回転ハンドル（１１）を取り外し、
イグナイタトランス部（１２０）を取付板（１３０）に取り付け、
前記回転ハンドル（１１）を通すために予め前記バランス型風呂釜本体（１２）の前板（１３）に開設されている挿通穴（１４）に電池ボックス（１１０）の背面を前記前板（１３）の表側から臨ませ、かつ前記挿通穴（１４）に前記取付板（１３０）を前記前板（１３）の裏側から臨ませ、前記挿通穴（１４）に通した螺子（１４１）で、前記電池ボックス（１１０）と前記取付板（１３０）とで前記前板（１３）を挟持するように取り付ける
ことを特徴とする後付け点火装置取付方法。
【００１０】
［３］前記電池ボックス（１１０）の背面から固定ピン（１１５）を突出させ、前記螺子（１４１）と固定ピン（１１５）の両者が前記挿通穴（１４）を貫通し得るように前記固定ピン（１１５）の突出位置と両者の径を設定し、
前記取付板（１３０）に、取付完了状態で前記固定ピン（１１５）と係合する箇所に係合穴（１３２）を設け、かつ前記取付板（１３０）を、取付完了状態で少なくとも当該取付板（１３０）の周縁の一辺が前記前板（１３）の内縁（Ａ）と接する形状にし、
取付完了状態において、前記取付板（１３０）の周縁と前記前板（１３）の内縁（Ａ）との接触で前記取付板（１３０）の回動を防止し、前記固定ピン（１１５）が前記係合穴（１３２）に係合することで前記取付板（１３０）に対して電池ボックス（１１０）が回動することを防止し、もって前記電池ボックス（１１０）の回動を防止した
ことを特徴とする［２］に記載の後付け点火装置取付方法。
【００１１】
［４］前記挿通穴（１４）に前記電池ボックス（１１０）とイグナイタトランス部（１２０）との間の電気配線（１１７）をさらに通す
ことを特徴とする［２］または［３］に記載の後付け点火装置取付方法。
【００１２】
［５］正極側の電気配線（１１７）を前記挿通穴（１４）に通し、負極側は、前記電池ボックス（１１０）の背面に設けた電極（１１６）と前記前板（１３）と前記取付板（１３０）とを介して電気的に接続する
ことを特徴とする［４］に記載の後付け点火装置取付方法。
【００１３】
［６］イグナイタトランス部（１２０）の上方に被さるように防露板（１３５）が突出した取付板（１３０）を使用する
ことを特徴とする後付け点火装置取付方法。
【００１４】
［７］手動点火式のバランス型風呂釜（１０）に後から電池式点火装置を取り付ける後付け点火装置取付方法であって、
圧電素子（２０）および当該圧電素子（２０）から伸びるシャフトの先端に取り付けられている回転ハンドル（１１）を取り外し、
イグナイタトランス部（１２０）を前記バランス型風呂釜本体（１２）の内部に取り付け、
前記シャフトを通すために予め前記バランス型風呂釜本体（１２）の前板（１３）に開設されていた挿通穴（１４）に前記電池ボックス（１１０）と前記本体（１２）内部のイグナイタトランス部（１２０）との間の電気配線（１１７）を通し、
前板取付用の螺子を兼用して電池ボックス（１１０）を前板（１３）の表側に取り付ける
ことを特徴とする後付け点火装置取付方法。
【００１５】
［８］通電スイッチ（１１４）を前記電池ボックス（１１０）に設けた
ことを特徴とする［１］、［２］、［３］、［４］、［５］、［６］または［７］に記載の後付け点火装置取付方法。
【００１６】
［９］通電スイッチ（１１４）を、ガスコックを点火位置に回したときにオンになるように前記バランス型風呂釜本体（１２）の内部に取り付ける
ことを特徴とする［１］、［２］、［３］、［４］、［５］、［６］、［７］または［８］に記載の後付け点火装置取付方法。
【００１７】
［１０］［１］または［６］に記載の後付け点火装置取付方法を実施可能に構成された、電池ボックス（１１０）とイグナイタトランス部（１２０）もしくはこれらと取付板（１３０）とを有する
ことを特徴とする後付け点火装置。
【００１８】
次に、前記各項に記載された発明の作用について説明する。
まず、点火用の回転ハンドル（１１）を取り外し、手動点火式のバランス型風呂釜本体（１２）の前板（１３）を開き、前板（１３）の内側に取り付けられている圧電素子（２０）を取り外す。この際、元のイグナイタコード（２２）は圧電素子（２０）の近傍で切断する。次にイグナイタトランス部（１２０）をバランス型風呂釜本体（１２）の内部のどこか適当な箇所に取り付ける。圧電素子（２０）を取り外すと、シャフトが通っていた前板（１３）の挿通穴（１４）が出現する。この挿通穴（１４）に通した螺子（１４１）で、電池ボックス（１１０）を前板（１３）の表側に取り付ける。また前板（１３）の表側に取り付けた電池ボックス（１１０）と本体（１２）内部に取り付けたイグナイタトランス部（１２０）との間の電気配線（１１７）を通すために挿通穴（１４）を利用する。
【００１９】
電池式の点火装置に替えると圧電素子（２０）のシャフトが通っていた挿通穴（１４）は使用されなくなるので、これを利用して電池ボックス（１１０）を取り付けたり、前板（１３）の表から裏へ電気配線を通すことで、新たに穴をあけずに、点火装置の後付けができる。
【００２０】
また取付板（１３０）を用いてイグナイタトランス部（１２０）を取り付けてもよい。すなわち、先の挿通穴（１４）に電池ボックス（１１０）の背面を前板（１３）の表側から臨ませ、かつイグナイタトランス部（１２０）を取り付けた取付板（１３０）を前板（１３）の裏側から挿通穴（１４）に臨ませ、挿通穴（１４）に通した螺子（１４１）で、電池ボックス（１１０）と取付板（１３０）とで、前板（１３）を挟持するように取り付ける。
【００２１】
これにより、使用しなくなった挿通穴（１４）を再利用して取付用の螺子（１４１）を通すので、新たに穴をあけなくて済む。また電池ボックス（１１０）を前板（１３）の表側に取り付けるので、電池ボックス（１１０）自体を取り外すことなく電池交換ができる。なお、電池ボックス（１１０）は、取り付けた状態で蓋が開閉して、電池交換が可能になっている。また電池ボックス（１１０）の背後に挿通穴（１４）が隠れるので、ここからの水滴進入を防止できる。また圧電素子（２０）のあった所にイグナイタトランス部（１２０）が取り付けられるので、元のイグナイタコードが近くまで来ており、これをそのままイグナイタトランス部（１２０）と点火プラグとの接続に再利用することができる。
【００２２】
また以下のようにすることで電池ボックス（１１０）が回動しないようになる。電池ボックス（１１０）の背面から固定ピン（１１５）を突出させ、取付用の螺子（１４１）と固定ピン（１１５）の両者が挿通穴（１４）を貫通し得るように固定ピン（１１５）の突出位置と両者の径を設定する。つまり、螺子（１４１）と固定ピン（１１５）の両者が同時に挿通穴（１４）を通り得るように径を細くしかつ螺子（１４１）のすぐ近くに固定ピン（１１５）を立設する。取付板（１３０）には、取付完了状態で固定ピン（１１５）と係合する箇所に係合穴（１３２）を設ける。また取付完了状態で少なくとも取付板（１３０）の周縁の一辺が前板（１３）の内縁（Ａ）と接するように取付板（１３０）の形状を設定する。
【００２３】
取付完了状態において、取付板（１３０）の周縁と前板（１３）の内縁（Ａ）とが接触して取付板（１３０）の回動が防止され、固定ピン（１１５）が係合穴（１３２）に係合することで取付板（１３０）に対して電池ボックス（１１０）が回動しなくなる。その結果、螺子（１４１）１本で取り付けても、電池ボックス（１１０）が回動せず、正規の向きに保持される。
【００２４】
挿通穴（１４）に、電池ボックス（１１０）とイグナイタトランス部（１２０）との間の電気配線（１１７）をさらに通す。これにより電気配線用の穴を別途設ける必要がなく、後付け作業がさらに容易になる。また電池ボックス（１１０）に隠れて電気配線（１１７）が露出しない。
【００２５】
正極側の電気配線（１１７）を挿通穴（１４）に通し、負極側は、電池ボックス（１１０）の背面に設けた電極（１１６）と前板（１３）と取付板（１３０）とを介して電気的に接続する。これにより挿通穴（１４）を通すべき配線が減り、挿通穴（１４）に残る隙間が配線１本分しか無い場合でも電気的接続が可能になる。
【００２６】
防露板（１３５）がイグナイタトランス部（１２０）の上方に被さるように突出した取付板（１３０）を使用するものでは、器具本体（１２）の天板裏側で生じた結露がイグナイタトランス部（１２０）の上方から落下してきても、防露板（１３５）の存在によりイグナイタトランス部（１２０）が濡れない。
【００２７】
このほか、挿通穴（１４）に電気配線（１１７）を通し、前板取付用の螺子（２２６）を兼用して電池ボックス（１１０）を前板（１３）に表側から取り付けるようにしてもよい。新たな穴をあけずに電池ボックス（１１０）を取り付けることができる。
【００２８】
通電スイッチ（１１４）を電池ボックス（１１０）に設けるものでは、別途の箇所に通電スイッチ（１１４）を取り付ける必要がなく、後付け作業が簡略化される。また電池と通電スイッチ（１１４）との間の電気配線（１１７）が露出しない。
【００２９】
ガスコックを点火位置に回したときにオンになるように通電スイッチ（１１４）をバランス型風呂釜本体（１２）の内部に取り付けるものでは、通電スイッチ（１１４）を別途手動操作しなくてもガスコックを点火位置に回すだけで口火が着火するので、操作性が向上する。
【００３０】
【発明の実施の形態】
以下、図面に基づき本発明の実施の形態を説明する。
本発明の実施の形態にかかる後付け点火装置１００を取り付ける前の風呂釜１０は、図１０、図１１に示すものと同じである。風呂釜１０は、浴室内の浴槽脇に設置され、風呂を追焚する機能と、シャワーや水栓から出湯する機能を備えている。風呂釜１０は、回転ハンドル１１と圧電素子ユニット２０による手動式の点火装置を備えている。すなわち、風呂釜本体１２の内側に圧電素子ユニット２０が固定され、この圧電素子ユニット２０から伸びるシャフト２１は、風呂釜本体１２の前板１３に開設された挿通穴１４を介して前板１３の表側に突出している。シャフト２１の先端に回転ハンドル１１が取り付けられており、ガスコック１５を点火位置に回した状態で、回転ハンドル１１を回すと、これに伴って圧電素子ユニット２０内部の打撃機構が圧電素子を間欠的に叩き、その度に圧電素子で高電圧が発生する。この高電圧がイグナイタコード２２を通じて図示省略の点火プラグに印加され、火花が発生して、口火が点火するようになっている。
【００３１】
風呂釜１０は、図２に示すように組立・分解が可能であり、後付け点火装置１００を取り付けるためには、回転ハンドル１１と数本の螺子を外して前板１３を取り外し、その後、圧電素子ユニット２０を取り外す。この際、圧電素子ユニット２０に接続されているイグナイタコード２２を圧電素子ユニット２０のすぐ近く（図１１の点線ａ）で切断する。回転ハンドル１１と圧電素子ユニット２０を取り外すことにより、圧電素子ユニット２０のシャフト２１が通っていた挿通穴１４が使用されなくなるので、これを利用して後付け点火装置１００を取り付けるようになっている。
【００３２】
図１に示すように、後付け点火装置１００は、電池ボックス１１０と、イグナイタトランス部１２０と、取付板１３０と、取付螺子１４１とから構成される。図１に示すように、電池ボックス１１０を前板１３の表側に、イグナイタトランス部１２０を取り付けた取付板１３０を前板１３の裏側に配置する。そして、電池ボックス１１０に開設された螺子通し穴１１３と前板１３の挿通穴１４を通じて、電池ボックス１１０の表側から取付螺子１４１を取付板１３０の螺子穴に螺合し、電池ボックス１１０と取付板１３０とで前板１３を挟持して取り付けるようになっている。
【００３３】
図３は、電池ボックス１１０の外形を示している。図３（ａ）は、電池ボックス１１０の上面を、図３（ｂ）は、電池ボックス１１０の正面を、図３（ｃ）は電池ボックス１１０の側面をそれぞれ示している。電池ボックス１１０は、電池を収納する本体部１１１と、開閉可能な蓋部１１２とから構成される。本体部１１１の前面中央やや上部には、本体部１１１を貫通する螺子通し穴１１３があいている。螺子通し穴１１３の内径は、ちょうど取付螺子１４１が通る大きさになっている。
【００３４】
蓋部１１２には、利用者が点火時に操作する通電スイッチ１１４が設けてある。本体部１１１の背面には、背面と垂直に固定ピン１１５が立設されている。固定ピン１１５は螺子通し穴１１３のすぐ脇から突出している。また本体部１１１の背面には、外側にやや弧を描くように曲げられた板ばねからなる電極板１１６が取り付けてある。電極板１１６は、電池ボックス１１０に収容された電池の負極と接続されている。また蓋部１１２を介して電池の正極と接続された数十センチの長さを有する電線１１７が本体部１１１の背面から外部に延びている。電線１１７の先にはイグナイタトランス部１２０に接続するためのコネクタ１１８が取り付けてある。
【００３５】
電池ボックス１１０は、蓋部１１２を閉じた際に内部に水が浸入しない防水構造になっている。螺子通し穴１１３は、本体部１１１を貫通する管で形成してあり、当該部分からの浸水を防止している。また蓋部１１２は、通電スイッチ１１４の形状に合わせて膨らんでおり、当該部分は柔軟になっており、その内側に通電スイッチ１１４が配置されて防水が確保されている。
【００３６】
図４は、取付板１３０を示している。図４（ａ）は、折り曲げ前の状態を、同図（ｂ）は折り曲げ後の状態を示している。取付板１３０は同図（ｂ）のように折り曲げた状態で使用される。取付板１３０には、取付螺子１４１に対応する雌螺子の形成された螺子穴１３１が設けてある。また螺子穴１３１のすぐ横に固定ピン１１５の挿入される係合穴１３２が開設されている。
【００３７】
螺子穴１３１のすぐ上には、電線１１７を逃がすための切欠１３３が設けてある。螺子穴１３１から少し離れた下方には、２本の折り曲げ線が水平にあり、同図（ｂ）に示すようにクランク状に折り曲げられる。折り曲げ箇所より下方の部分には、当該部分より一回り小さな四角形が、その上部を除く周囲三辺に細い溝を切って形成されている。溝の内側の部分は、同図（ｂ）に示すように、溝の上部で折り曲げて防露板１３５が形成される。折り曲げ箇所より下方の矩形板状部分のうちの防露板１３５を除く枠部分には、イグナイタトランス部１２０を固定するための取付穴１３６が開設されている。
【００３８】
次に、後付け点火装置１００の風呂釜１０への取り付け方について説明する。まず、図１０に示す元の状態から回転ハンドル１１を外し、さらに前板１３を取り外す。図１１に示すように取り付けられている圧電素子ユニット２０から延びるイグナイタコード２２を圧電素子ユニット２０の近くで切断する（図２の点線ａの箇所）。その後、圧電素子ユニット２０等を前板１３から取り外す。
【００３９】
図１および図５に示すように、後付け点火装置１００の取り付けに際して、まず、取付板１３０にイグナイタトランス部１２０を、取付穴１３６を用いて螺子止めする。次に、前板１３の表側から挿通穴１４に電池ボックス１１０から延びる電線１１７を通し、電池ボックス１１０の背面から突出している固定ピン１１５が挿通穴１４を通り、かつ背面側の螺子通し穴１１３が丁度、挿通穴１４を臨むように電池ボックス１１０を位置合わせする。またイグナイタトランス部１２０を取り付けた取付板１３０の螺子穴１３１が丁度、挿通穴１４を臨むように前板１３の裏面側で取付板１３０を位置合わせする。このとき、電線１１７を取付板１３０の切欠１３３に通して、取付板１３０と前板１３に挟み込まれない様に逃がしておく。
【００４０】
そして、固定ピン１１５が取付板１３０の係合穴１３２に嵌まるようにして電池ボックス１１０と取付板１３０で前板１３を表裏から挟み込むようにして手で押さえる。この状態で、電池ボックス１１０の表側から螺子通し穴１１３に取付螺子１４１を通し、挿通穴１４を介して取付板１３０の螺子穴１３１に螺子を嵌めて、締め込む。これにより、電池ボックス１１０と取付板１３０とが前板１３を表裏から強く挟み込み、固定される。次に、コネクタ１１８をイグナイタトランス部１２０の対応する入力端子に嵌めこみ、先に切断したイグナイタコード２２を処理してイグナイタトランス部１２０に接続する。その後、前板１３を元のように閉めて螺子止めして、取り付け作業が完了する。挿通穴１４には、電線１１７と取付螺子１４１と固定ピン１１５が通ることになる。なお、取り付けた状態で取付板１３０の一側縁が前板１３の内縁のＡ面（図１参照）と接するようになっている。
【００４１】
電気的には、正極は電線１１７を通じて接続される。一方、負極は、電極板１１６、前板１３、取付板１３０、およびイグナイタトランス部１２０のうち取付板１３０に螺子止めした取付電極１２２を介して接続される。取付電極１２２は、イグナイタトランス部１２０の負極側の入力端子になっている。なお前板１３および取付板１３０は導電性を有する金属で形成されている。
【００４２】
図６は、後付け点火装置１００の取り付けた風呂釜１０を示している。口火を点火するには、ガスコック１５を点火位置に押し回して通電スイッチ１１４を操作（押下）すればよい。
【００４３】
このように、回転ハンドル１１や圧電素子ユニット２０を取り外して不用になった挿通穴１４を利用して取付螺子１４１や電線１１７を通して電池ボックス１１０等を取り付けるので、新たな穴あけ作業を行うことなく、簡単に取り付けることができる。また配線が露出せず、美しい仕上がりになる。さらに取付完了状態において、取付板１３０の一側縁と前板１３の内縁のＡ面とが接触するので、取付板１３０の回動が防止され、さらに固定ピン１１５が係合穴１３２に係合することで取付板１３０に対して電池ボックス１１０が回動しなくなる。その結果、１本の取付螺子１４１で取り付けても、電池ボックス１１０および取付板１３０が回動せずに正規の向きに保持される。
【００４４】
このほか、電池ボックス１１０が前板１３の表側にあるので、電池ボックス１１０自体を取り外すことなく、電池ボックス１１０の蓋部１１２を開閉して電池を交換できる。電池ボックス１１０で挿通穴１４が隠れるとともに、螺子通し穴１１３の開口が取付螺子１４１で塞がるので、挿通穴１４の部分から水滴が風呂釜本体１２の中に進入することが防止される。なお、元々、圧電素子ユニット２０のあった所とほぼ同じ箇所にイグナイタトランス部１２０が取り付けられるので、切断したイグナイタコード２２の先端がイグナイタトランス部１２０の近くまで来ており、これをそのままイグナイタトランス部１２０に接続して再利用することができる。
【００４５】
また防露板１３５がイグナイタトランス部１２０の上方に被さるように突出しているので、風呂釜本体１２の天板裏側で結露が生じ、これが落下しても、防露板１３５が傘になってイグナイタトランス部１２０は濡れない。
【００４６】
次に、ガスコック１５を点火位置に押し回すと自動的に通電スイッチがオンして口火が点火するものについて説明する。図７は、通電スイッチとしてのマイクロスイッチ２０１をガスコック１５の操作に連動して回動する弁機構２０２の近傍に取り付けた状態を示している。弁機構２０２はガス通路の途中に設けられている。弁機構２０２は、消火位置ではバーナへのガス供給を遮断し、点火位置ではパイロットバーナにガスを供給し、点火位置からさらに回した燃焼位置では、パイロットバーナとメインバーナにガスが供給される。
【００４７】
弁機構２０２のシャフト２０３は、図２に示すように風呂釜本体１２の天板を貫通して、その上端にはガスコック１５が取り付けられている。ガスコック１５を点火位置に押し回すと、弁機構２０２に設けた突起部分（図示省略）がマイクロスイッチ２０１から延びる腕片２０４を押し下げて、マイクロスイッチ２０１がオンする。マイクロスイッチ２０１の取り付けには、弁機構２０２の近傍にある既存の螺子が兼用される。
【００４８】
ガスコック１５を点火位置に押し回すと、パイロットバーナにガスが供給されるとともに、マイクロスイッチ２０１がオンになってイグナイタトランス部１２０に通電され、点火プラグに火花が発生して口火が点火する。その後ガスコック１５を燃焼位置に回すと、マイクロスイッチ２０１はオフになる。またメインバーナにガスが供給され、パイロットバーナから火移りしてメインバーナが点火して燃焼する。このように通電スイッチを手動で操作する必要がなく、片手で口火を点火することができる。
【００４９】
図８は、前板１３に取り付けられる電池ボックス２２０の一例を示している。この電池ボックス２２０は、その前面が開閉可能な前蓋２２３になっており、螺子２２２を外すと前蓋２２３が開いて電池を交換できる。電池ボックス２２０の上部左右には取付用の螺子穴２２４がある。螺子穴２２４は、前板１３の左右上端にある螺子穴２２５に対応する位置に設けてある。前板１３を風呂釜本体１２に固定するための螺子２２６で電池ボックス２２０と前板１３の双方を風呂釜本体１２に固定する。
【００５０】
なお、電池ボックス２２０を前板１３に取り付けると、電池ボックス２２０の裏側に挿通穴１４が隠れるようになっている。また電池ボックス２２０からイグナイタトランス部１２０への配線は、挿通穴１４を通す。なお通電スイッチは図７に示したように取り付けてある。図９は電池ボックス２２０の取り付けた風呂釜１０を示している。このように、電池ボックスの取り付けを前板１３を固定するための螺子を兼用する場合は、回転ハンドル１１を外した後の挿通穴１４を、電気配線を通すためにだけ利用してもよい。
【００５１】
以上、本発明の実施の形態を図面によって説明してきたが、具体的な構成はこれに限られるものではなく、本発明の要旨を逸脱しない範囲における変更や追加があってもかまわない。
【００５２】
たとえば、電池ボックスの形状やイグナイタトランス部を取り付ける取付板の形状は、実施の形態で例示したものに限らない。また取付螺子１４１は、電池ボックス１１０の背面に立設されなくてもよい。取付板１３０の螺子穴１３１に雌螺子を形成したが、単なる穴にし、取付螺子１４１と別途用意したナットで取り付けるようにしてもよい。
【００５３】
実施の形態では、前板１３の裏側であって挿通穴１４を臨む箇所に取付板１３０を介してイグナイタトランス部１２０を固定したが、イグナイタトランス部１２０を器具内の他の箇所に別の方法で取り付けるようにしてもよい。この際、器具に元々ある螺子を流用するとよい。
【００５４】
【発明の効果】
本発明にかかる後付け点火装置取付方法および後付け点火装置によれば、手動点火式のときに使用していた回転ハンドルや圧電素子を取り外したことによってもはや使用されなくなった挿通穴に螺子を通して電池ボックスを取り付けたり、電気配線を通すので、新たに穴をあけずに、点火装置の後付けを簡易に行うことができる。また電池ボックスを前板の表側に取り付けるので、電池ボックス自体を取り外すことなく電池交換ができる。
【００５５】
また電池ボックスを前板の表側にし、取付板を前板の裏側にして、挿通穴に通した螺子で、これらが前板を挟持するようにして取り付けるものでは、電池ボックスで挿通穴が隠れるので、ここからの水滴の進入を防止できる。また圧電素子のあった所にイグナイタトランス部が取り付けられるのでイグナイタコードがイグナイタトランス部の近くまで来ており、これをそのままイグナイタトランス部と点火プラグとの接続に再利用することができる。
【００５６】
また挿通穴にさらに固定ピンを通したものでは、取付板が前板のＡ面で接しているので取付板が回動することなく、この結果、螺子１本で取り付けても電池ボックスが回動せず、正規の向きに保持される。電池ボックスとイグナイタトランス部との間の電気配線をさらに挿通穴に通したものでは、電気配線用の穴を別途設ける必要がなく、後付け作業がさらに容易になる。また電池ボックスで電気配線が隠れて露出しない。
【００５７】
正極側の電気配線を挿通穴に通し、負極側は、電池ボックスの背面に設けた電極と前板と取付板とを介して電気的に接続するものでは、挿通穴を通すべき配線が減り、挿通穴に残る隙間が配線１本分しか確保できない場合でも電気的接続が可能になる。
【００５８】
取付板に、イグナイタトランス部の上方に被さるように突出した防露板を付加したものでは、器具本体の天板裏側で生じた結露がイグナイタトランス部の上方から落下してきても、防露板の存在によってイグナイタトランス部が濡れない。
【００５９】
通電スイッチを電池ボックスに設けるものでは、別途の箇所に通電スイッチを取り付ける必要がなく、後付け作業が簡略化される。また電池と通電スイッチとの間の電気配線が露出しない。
【００６０】
通電スイッチを、ガスコックを点火位置に回したときにオンになるように、バランス型風呂釜本体の内部に取り付けるものでは、通電スイッチを別途手動操作しなくてもガスコックを点火位置に回すだけで口火が着火するので、操作性が向上する。
【００６１】
【図面の簡単な説明】
【図１】本発明の一実施の形態に係る後付け点火装置の風呂釜への取り付け方を示す分解斜視図である。
【図２】本発明の一実施の形態に係る後付け点火装置が取り付けられる前の風呂釜を示す分解斜視図である。
【図３】本発明の一実施の形態に係る後付け点火装置の電池ボックスを示す説明図である。
【図４】本発明の一実施の形態に係る後付け点火装置の取付板を示す説明図である。
【図５】本発明の一実施の形態に係る後付け点火装置の風呂釜への取り付け方を示す説明図である。
【図６】本発明の一実施の形態に係る後付け点火装置を取り付けた風呂釜の外観を示す斜視図である。
【図７】本発明の一実施の形態に係る後付け点火装置の通電スイッチをガスコックに連動する弁機構の近傍に取り付けた様子を示す説明図である。
【図８】前板の取付螺子を兼用して取り付ける電池ボックスの一例を示す斜視図である。
【図９】図８に示す電池ボックスを取り付けた風呂釜の外観を示す斜視図である。
【図１０】手動点火式のバランス型風呂釜の外観を示す斜視図である。
【図１１】手動点火式の回転ハンドルと圧電素子の取付状態を示す説明図である。
【符号の説明】
１０…風呂釜
１１…回転ハンドル
１２…風呂釜本体
１３…前板
１４…挿通穴
１５…ガスコック
２０…圧電素子ユニット
２１…シャフト
２２…イグナイタコード
１００…後付け点火装置
１１０…電池ボックス
１１１…本体部
１１２…蓋部
１１３…螺子通し穴
１１４…通電スイッチ
１１５…固定ピン
１１６…電極板
１１７…電線
１１８…コネクタ
１２０…イグナイタトランス部
１２２…取付電極
１３０…取付板
１３１…螺子穴
１３２…係合穴
１３３…切欠
１３５…防露板
１３６…取付穴
１４１…取付螺子
２０１…マイクロスイッチ
２０２…弁機構
２０３…シャフト
２０４…腕片
２２０…電池ボックス
２２２…螺子
２２３…前蓋
２２４…螺子穴
２２５…螺子穴
２２６…螺子
【図１】
2004198031.tif 000003
【図２】
2004198031.tif 000004
【図３】
2004198031.tif 000005
【図４】
2004198031.tif 000006
【図５】
2004198031.tif 000007
【図６】
2004198031.tif 000008
【図７】
2004198031.tif 000009
【図８】
2004198031.tif 000010
【図９】
2004198031.tif 000011
【図１０】
2004198031.tif 000012
【図１１】
2004198031.tif 000013